(57)【要約】【課題】本発明は加湿装置に関するもので、メンテナンス時における、水槽内の水の跳ね落ちを抑制させることができるものである。【解決手段】吸気口２と排気口３を有する本体ケース１と、この本体ケース１内に備えた送風手段５と、この送風手段５の風路に設けた加湿手段装着部６と、この加湿手段装着部６に水平方向に着脱自在な加湿手段７とを備え、この加湿手段７は、一定量の水が供給される水槽部１４と、この水槽部１４の水に一部が浸漬した加湿部４７とからなり、水槽部１４は、上方が開口した横長箱形状で、長辺側面は、加湿手段７の着脱方向に伸びると共に、長辺側面と加湿部４７との距離は、加湿手段７の着脱方向における中央部より端部の方が大きいことを特徴としたものである。【選択図】図５
2014066403.tif 000002
【特許請求の範囲】
【請求項１】
吸気口と排気口を有する本体ケースと、この本体ケース内に備えた送風手段と、この送風手段の風路に設けた加湿手段装着部と、この加湿手段装着部に水平方向に着脱自在な加湿手段とを備え、この加湿手段は、一定量の水が供給される水槽部と、この水槽部の水に一部が浸漬した加湿部とからなり、前記水槽部は、上方が開口した横長箱形状で、長辺側面は、前記加湿手段の着脱方向に伸びると共に、前記長辺側面と加湿部との距離は、前記加湿手段の着脱方向における中央部より端部の方が大きいことを特徴とする加湿装置。
【請求項２】
前記長辺側面の内面は、前記加湿手段の着脱方向における中央部から両端部に向かうにつれて、外方へ広がることを特徴とする請求項１に記載の加湿装置。
【請求項３】
前記本体ケースの底面には、車輪を有し、この車輪によって前記本体ケースは、前記加湿手段の着脱方向の同じ方向に移動することを特徴とする請求項１または２に記載の加湿装置。
【発明の詳細な説明】
【技術分野】
【０００１】
本発明は、空気を加湿することのできる加湿装置に関する。
【背景技術】
【０００２】
従来のこの種の加湿装置の構成は以下のようになっていた。
【０００３】
すなわち、吸気口と排気口を有する本体ケースと、この本体ケース内に備えた送風手段と、この送風手段の風路に設けた加湿手段装着部と、この加湿手段装着部に水平方向に着脱自在な加湿手段とを備え、この加湿手段は、一定量の水が供給される水槽部と、この水槽部の水に一部が浸漬した加湿部とからなり、前記水槽部は、上方が開口した横長箱形状で、前記長辺側面は、前記加湿手段の着脱方向に伸びる構成となっていた。（例えば、これに類似する先行文献は下記特許文献１に記載されている。）
【先行技術文献】
【特許文献】
【０００４】
【特許文献１】特開２００５−２８２９８０号公報
【発明の概要】
【発明が解決しようとする課題】
【０００５】
上記従来例における課題は、メンテナンス等で加湿手段の着脱時に水槽内の水が跳ね落ちる場合があるということであった。
【０００６】
すなわち、従来の物においては、加湿フィルターに給水する水を水槽内に一定量溜めているので、加湿手段を移動させることによって、水槽内の水が揺れ、その揺れによって水が跳ねが発生し、その跳ねた水が水槽から落下することが起こり易いものであった。
【０００７】
そこで本発明は、本体移動時における、水槽の水の跳ね落ちを抑制することを目的とするものである。
【課題を解決するための手段】
【０００８】
そしてこの目的を達成するために本発明は、吸気口と排気口を有する本体ケースと、この本体ケース内に備えた送風手段と、この送風手段の風路に設けた加湿手段装着部と、この加湿手段装着部に水平方向に着脱自在な加湿手段とを備え、この加湿手段は、一定量の水が供給される水槽部と、この水槽部の水に一部が浸漬した加湿部とからなり、前記水槽部は、上方が開口した横長箱形状で、長辺側面は、前記加湿手段の着脱方向に伸びると共に、前記長辺側面と加湿部との距離は、前記加湿手段の着脱方向における中央部より端部の方が大きいことを特徴としたものであり、これにより、初期の目的を達成するものである。
【発明の効果】
【０００９】
以上のように本発明は、吸気口と排気口を有する本体ケースと、この本体ケース内に備えた送風手段と、この送風手段の風路に設けた加湿手段装着部と、この加湿手段装着部に水平方向に着脱自在な加湿手段とを備え、この加湿手段は、一定量の水が供給される水槽部と、この水槽部の水に一部が浸漬した加湿部とからなり、前記水槽部は、上方が開口した横長箱形状で、長辺側面は、前記加湿手段の着脱方向に伸びると共に、前記長辺側面と加湿部との距離は、前記加湿手段の着脱方向における中央部より端部の方が大きいことを特徴としたものである。
【００１０】
すなわち、水槽部は、上方が開口した横長箱形状で、長辺側面は、加湿手段の着脱方向に伸びると共に、長辺側面と加湿部との距離は、加湿手段の着脱方向における中央部より端部の方が大きいので、加湿手段の着脱方向に、水槽部内の水が揺れても、一方側端部の水が、他方側端部に移動し難く、また、中央部の水が移動しても、端部に比べ中央部は水量が少ないので、水の揺れによる水跳ねの発生が低減できる。結果として、水槽の水の跳ね落ちを抑制できる。
【００１１】
これらの結果により、メンテナンス時における、水槽内の水の跳ね落ちを抑制させることができるものである。
【図面の簡単な説明】
【００１２】
【図１】本発明の実施の形態１の加湿装置の斜視図
【図２】同実施の形態１の加湿装置の概略断面を示す図
【図３】同実施の形態１の加湿装置のフィルター枠部と加湿フィルター部の斜視図
【図４】同実施の形態１の加湿手段装着部と加湿手段の斜視図
【図５】同実施の形態１の水槽部の概略断面を示す図
【発明を実施するための形態】
【００１３】
以下、本実施形態を添付図面を用いて説明する。
【００１４】
（実施の形態１）
図１から図５に示すように、吸気口２と排気口３を有する本体ケース１と、この本体ケース１内に設けられた空気清浄手段と、送風手段５と、加湿手段装着部６と、この加湿手段装着部６に着脱自在な加湿手段７とを備えている。
【００１５】
本体ケース１は、縦長の箱形状で、本体ケース１における前面側の側面下部には、横長四角形状の吸気口２を有し、本体ケース１における天面には、横長四角形状の排気口３を備えている。この吸気口２と排気口３とは、送風手段５によって送風される風路によって連通している。
【００１６】
空気清浄手段は、縦長箱形状の空気清浄フィルター４で、濾材が蛇腹形状に折られたものであり、本体ケース１の吸気口２の風路風下側に設けられている。
【００１７】
送風手段５は、空気清浄フィルター４と排気口３との間の風路に設けている。送風手段５は、スクロール形状のケーシング部８と、このケーシング部８に固定されたモータ部９と、このモータ部９によって回転する羽根部１０とから構成している。ケーシング部８は、天面に横長四角形状の吐出口１１と、本体ケース１における前面側の側面側、つまり空気清浄フィルター４に対向した側面に円形状の吸込口１２を備えている。
【００１８】
加湿手段装着部６は、空気清浄フィルター４と送風手段５との間の風路に設けている。具体的には、空気清浄フィルター４と送風手段５のケーシング部８吸込口１２を有する側面との間の空間部１３で、この空間部１３は、本体ケース１における一方側の側面から内方に伸びた縦断面形状が縦長四角形状である縦長四角直方体の穴である。この穴である加湿手段装着部６に対して、加湿手段７が、水平方向に着脱自在な構成である。
【００１９】
加湿手段７は、水槽部１４と、加湿部４７である加湿フィルター部１５とフィルター枠部１６と、回転手段１７とから構成されている。水槽部１４に一定量の水が供給され、この水槽部１４の水に、加湿部の一部が浸漬する。
【００２０】
水槽部１４は、上方が開口した横長箱形状である。この水槽部１４には、加湿フィルター部１５と、フィルター枠部１６とが装着される第１の水槽部分１９と、上面が開口した四角形状で、給水タンク５１が装着される第２の水槽部分２０とから形成している。これら第１の水槽部分１９と第２の水槽部分２０とは連通口（図示せず）で連通しており、給水タンク５１より、第２の水槽部分２０に供給された水は、連通口を介して、第１の水槽部分１９に流れこみ、この第１の水槽部分１９に一定量の水が供給されるものである。
【００２１】
第１の水槽部分１９は、本体ケース１における前面側の側面上端部と、本体ケース１における背面側の側面上端部とから伸びた２本の縦長四角平板形状の支持部分２２を備えている。これら支持部分２２の上部には、対向して設けた２つの軸受部分２３を有する。これら軸受部分２３は、それぞれの支持部分２２の内面から内方へ突出しているリブであり、これらのリブを水平視すると、上方が開口したＵ字形状である。
【００２２】
加湿フィルター部１５は、円板形状で、複数の繊維によって形成し、毛細管現象で水を吸い上げる自吸い式タイプである。加湿フィルター部１５の周縁部の一部が、第１の水槽部分１９の水に浸漬するように、フィルター枠部１６によって、第１の水槽部分１９に回転自在に装着されている。
【００２３】
フィルター枠部１６は、加湿フィルター部１５の円形の一方側面側と周縁部とに位置する第１のフィルター枠部２４と、加湿フィルター部１５の円形の他方側面側と周縁部とに位置する第２のフィルター枠部２５とから形成している。
【００２４】
第１のフィルター枠部２４は、加湿フィルター部１５の円形の一方側面側の中心から外方へ伸びた円柱形状の軸部分である第１の軸部分２６と、この第１の軸部分２６から放射線上に伸びた複数の細長四角平板形状の第１の直線状桟部分２７と、これら第１の直線状桟部分２７を連結する複数の半径が異なる円形リング形状の第１の円形リング状桟部分２８と、加湿フィルター部１５の周縁外周に位置すると共に第１の直線状桟部分２７の先端で連結した円筒形状の第１の外周筒部分２９とから形成している。
【００２５】
第２のフィルター枠部２５は、加湿フィルター部１５の円形の他方側面側の中心から外方へ伸びた円柱形状の軸部分である第２の軸部分３０と、この第２の軸部分３０から放射線上に伸びた複数の細長四角平板形状の第２の直線状長桟部分３１と、これら第２の直線状長桟部分３１を連結する円形リング形状の第２の円形リング状桟部分３２と、加湿フィルター部１５の周縁外周に位置する円筒形状の第２の外周筒部分３３と、この第２の外周筒部分３３と第２の円形リング状桟部分３２とを連結する複数の細長四角平板形状の第２の直線状短桟部分３４とから形成している。第１の外周筒部分２９の内径は、第２の外周筒部分３３の内径より小さく、第２の外周筒部分３３の内面に、第１の外周筒部分２９の外面が嵌るものである。
【００２６】
ここで、フィルター枠部１６を、フィルター枠部１６の軸部分である第１の軸部分２６と、第２の軸部分３０とを、第１の水槽部分１９の軸受部分２３の上方から挿入し所定距離下げることにより回転自在に支持される。つまり、Ｕ字形状のリブの内径は、フィルター枠部１６の軸部分の外径より大きいので、軸受部分２３であるＵ字形状のリブの上方開口から、軸部分である第１の軸部分２６と第２の軸部分３０とを挿入し、Ｕ字形状のリブに沿って所定距離下げると、軸受部分２３であるＵ字形状のリブの底である円弧部分と、第１の軸部分２６と第２の軸部分３０の外周の一部が当たり、回転自在に支持される。
【００２７】
回転手段１７は、本体ケース１の設けられた電動機３５と、この電動機３５によって回転する歯車である第１のギア４５と、第２のフィルター枠部２５の第２の円形リング状桟部分３２に設けた歯車である第２のギア４６とから形成している。
【００２８】
以上の構成における加湿動作について説明する。送風手段５によって、本体ケース１の吸気口２から吸い込まれた室内の空気は、空気清浄フィルター４を介し、加湿手段７の加湿フィルター部１５へ送風される。ここで、送風された空気が、水を含んだ加湿フィルター部１５を通過することで、加湿され、この加湿された空気が、本体ケース１の排気口３から室内へ送風され、室内を加湿するものである。
【００２９】
本実施形態において特徴は、水槽部１４は、上方が開口した横長箱形状で、長辺側面は、加湿手段７の着脱方向に伸びると共に、長辺側面と加湿部との距離は、加湿手段７の着脱方向における中央部より端部の方が大きいのである。具体的には、長辺側面の内面は、加湿手段７の着脱方向における中央部から両端部に向かうにつれて、徐徐に外方へ広がるものである。つまり、第１の水槽部分１９の側面上端部とから伸びた２本の縦長四角平板形状の支持部分２２間の距離が最も短いものである。
【００３０】
すなわち、加湿手段７の着脱方向に、水槽部１４内の水が揺れても、加湿手段７の着脱方向における一方側端部の水が、他方側端部に移動し難く、また、中央部の水が移動しても、端部に比べ中央部は水量が少ないので、水の揺れによる水跳ねの発生が低減できる。結果として、水槽の水の跳ね落ちを抑制できる。
【００３１】
これらの結果により、メンテナンス時における、水槽部１４内の水の跳ね落ちを抑制させることができるものである。
【００３２】
また、本体ケース１の底面には、車輪（図示せず）を有し、この車輪によって本体ケース１は、加湿手段７の着脱方向の同じ方向に移動するものである。これにより、本体ケースを、車輪で移動させる場合にも、加湿手段７の着脱方向に、水槽部１４内の水が揺れても、加湿手段７の着脱方向における一方側端部の水が、他方側端部に移動し難く、また、中央部の水が移動しても、端部に比べ中央部は水量が少ないので、水の揺れによる水跳ねの発生が低減できる。結果として、水槽の水の跳ね落ちを抑制できる。
【産業上の利用可能性】
【００３３】
以上のように本発明は、以上のように本発明は、吸気口と排気口を有する本体ケースと、この本体ケース内に備えた送風手段と、この送風手段の風路に設けた加湿手段装着部と、この加湿手段装着部に水平方向に着脱自在な加湿手段とを備え、この加湿手段は、一定量の水が供給される水槽部と、この水槽部の水に一部が浸漬した加湿部とからなり、前記水槽部は、上方が開口した横長箱形状で、長辺側面は、前記加湿手段の着脱方向に伸びると共に、前記長辺側面と加湿部との距離は、前記加湿手段の着脱方向における中央部より端部の方が大きいことを特徴としたものである。
【００３４】
すなわち、水槽部は、上方が開口した横長箱形状で、長辺側面は、加湿手段の着脱方向に伸びると共に、長辺側面と加湿部との距離は、加湿手段の着脱方向における中央部より端部の方が大きいので、加湿手段の着脱方向に、水槽部内の水が揺れても、一方側端部の水が、他方側端部に移動し難く、また、中央部の水が移動しても、端部に比べ中央部は水量が少ないので、水の揺れによる水跳ねの発生が低減できる。結果として、水槽の水の跳ね落ちを抑制できる。
【００３５】
これらの結果により、メンテナンス時における、水槽内の水の跳ね落ちを抑制させることができるものである。
【００３６】
従って、家庭用や事務所用などの、加湿装置として活用が期待されるものである。
【符号の説明】
【００３７】
１  本体ケース
２  吸気口
３  排気口
４  空気清浄フィルター
５  送風手段
６  加湿手段装着部
７  加湿手段
８  ケーシング部
９  モータ部
１０  羽根部
１１  吐出口
１２  吸込口
１３  空間部
１４  水槽部
１５  加湿フィルター部
１６  フィルター枠部
１７  回転手段
１９  第１の水槽部分
２０  第２の水槽部分
２２  支持部分
２３  軸受部分
２４  第１のフィルター枠部
２５  第２のフィルター枠部
２６  第１の軸部分
２７  第１の直線状桟部分
２８  第１の円形リング状桟部分
２９  第１の外周筒部分
３０  第２の軸部分
３１  第２の直線状長桟部分
３２  第２の円形リング状桟部分
３３  第２の外周筒部分
３４  第２の直線状短桟部分
３５  電動機
４５  第１のギア
４６  第２のギア
４７  加湿部
５１  給水タンク
【図１】
2014066403.tif 000003
【図２】
2014066403.tif 000004
【図３】
2014066403.tif 000005
【図４】
2014066403.tif 000006
【図５】
2014066403.tif 000007